(57)【要約】【課題】ハイライトシーンをユーザに伝えることができるコンテンツの再生装置及びコンテンツの再生プログラムを提供する。【解決手段】コンテンツを再生する再生部１１と、再生部１１が再生しているコンテンツを表示する表示部２と、再生部１１が再生しているコンテンツにおける現在の再生位置を表示する表示部３と、を備えたコンテンツ再生装置１に、再生部１１が、１以上の特徴区間を有するコンテンツを再生している場合に、コンテンツにおける再生位置とコンテンツにおける特徴区間との位置関係に基づいて、表示部２及び表示部３の少なくとも一方の表示態様を変更する表示変更部１５を備える。【選択図】図１
2017103529.tif 000002
【特許請求の範囲】
【請求項１】
コンテンツを再生する再生部と、
前記再生部が再生している前記コンテンツを表示する第１表示部と、
前記再生部が再生している前記コンテンツにおける現在の再生位置を表示する第２表示部と、
を備えた再生装置であって、
前記再生部が、１以上の特徴区間を有するコンテンツを再生している場合に、前記コンテンツにおける前記再生位置と、前記コンテンツにおける前記特徴区間との位置関係に基づいて、前記第１表示部及び前記第２表示部の少なくとも一方の表示態様を変更する変更部を備える、
再生装置。
【請求項２】
請求項１に記載の再生装置において、
前記変更部は、前記位置関係に基づいて、前記表示態様を動的に変更する、
再生装置。
【請求項３】
請求項１又は２に記載の再生装置において、
前記第２表示部は、前記コンテンツの再生中に、前記コンテンツにおける前記再生位置に対応する表示態様を表示し、
前記変更部は、前記表示態様の移動速度を変更する、
再生装置。
【請求項４】
請求項１〜３のいずれか一項に記載の再生装置において、
前記変更部は、前記第２表示部が表示する前記表示態様の形状又は大きさを変更する、
再生装置。
【請求項５】
請求項１〜４のいずれか一項に記載の再生装置において、
前記第２表示部は、前記コンテンツの長さを表すスライダバーを、前記再生位置と共に表示し、
前記変更部は、前記第２表示部が表示する前記スライダバーのうち前記特徴区間に対応する部分の形状を、前記特徴区間の長さに応じて変更する、
再生装置。
【請求項６】
請求項１〜５のいずれか一項に記載の再生装置において、
前記変更部は、前記第１表示部が表示する前記コンテンツの表示画像の表示の更新間隔を短く変更する、
再生装置。
【請求項７】
請求項１〜６のいずれか一項に記載の再生装置において、
前記変更部は、入力受付部が受け付けたユーザの操作位置に対応して前記再生位置が移動している間に、前記操作位置に対応した前記再生位置と、前記コンテンツにおける前記特徴区間との位置関係に基づいて、前記表示態様を変更する、
再生装置。
【請求項８】
請求項１〜７のいずれか一項に記載の再生装置において、
前記コンテンツの内容に基づいて、前記表示態様を選択する表示態様選択部を備え、
前記変更部は、前記表示態様選択部により選択された前記表示態様を変更する、
再生装置。
【請求項９】
請求項１〜８のいずれか一項に記載の再生装置において、
前記再生部により再生されているコンテンツの再生位置と、前記コンテンツに設定された特徴区間との位置関係に基づいて、音声を出力する音声出力部から出力される音声を変更する音声変更部を備える、
再生装置。
【請求項１０】
請求項９に記載の再生装置において、
前記コンテンツの内容に基づいて、前記音声変更部による変更を行うか否かを判断する音声出力判断部を備え、
前記音声変更部は、前記音声出力判断部の判断結果に応じて、前記音声出力部から出力される音声を変更する、
再生装置。
【請求項１１】
再生されているコンテンツを表示する第１表示部と、
前記第１表示部が表示しているコンテンツにおける現在の再生位置を表示する第２表示部と、
を備えた再生装置に実行される再生プログラムであって、
前記再生装置に、
１以上の特徴区間を有するコンテンツを再生させる再生ステップと、
前記再生ステップで再生されている前記コンテンツにおける再生位置と、前記コンテンツにおける前記特徴区間との位置関係に基づいて、前記第１表示部及び前記第２表示部の少なくとも一方の表示態様を変更させる変更ステップと、
を実行させる再生プログラム。
【請求項１２】
請求項１１に記載の再生プログラムにおいて、
前記変更ステップでは、前記位置関係に基づいて、前記表示態様を動的に変更させる、
再生プログラム。
【発明の詳細な説明】
【技術分野】
【０００１】
本発明は、コンテンツの再生装置及びコンテンツの再生プログラムに関するものである。
【背景技術】
【０００２】
従来、画像再生に関するユーザインタフェースが提案されている（例えば、特許文献１）。
【先行技術文献】
【特許文献】
【０００３】
【特許文献１】国際公開第２０１３／０１８３１０号
【発明の概要】
【０００４】
コンテンツを再生する再生部と、再生部が再生するコンテンツを表示する第１表示部と、再生部が再生するコンテンツにおける現在の再生位置を表示する第２表示部と、を備えた再生装置に、再生部は、１以上の特徴区間を有するコンテンツを再生し、再生部により再生されている前記コンテンツの現在の再生位置と、コンテンツにおける前記特徴区間との位置関係に基づいて、第１表示部及び第２表示部の少なくとも一方の表示態様を変更する変更部を構成した。
また、再生されているコンテンツを表示する第１表示部と、第１表示部が表示しているコンテンツにおける現在の再生位置を表示する第２表示部と、を備えた再生装置に実行される再生プログラムを、再生装置に、１以上の特徴区間を有するコンテンツを再生させる再生ステップと、再生ステップで再生されているコンテンツにおける現在の再生位置と、コンテンツにおける特徴区間との位置関係に基づいて、第１表示部及び第２表示部の少なくとも一方の表示態様を変更させる変更ステップと、を実行させるよう構成した。
【図面の簡単な説明】
【０００５】
【図１】第１実施形態のコンテンツ再生装置でのコンテンツ再生中の表示例を示す図である。
【図２】第１実施形態のコンテンツ再生装置の機能ブロック図である。
【図３】第１実施形態の表示部の表示例を示す図である。
【図４】第１実施形態のコンテンツ再生装置でのコンテンツ再生処理を示すフローチャートである。
【図５】第１実施形態の変更処理に関する他の表示例を示す図である。
【図６】第１実施形態の変更処理に関する他の表示例を示す図である。
【図７】第１実施形態の変更処理に関する他の表示例を示す図である。
【図８】第１実施形態の変更処理に関する他の表示例を示す図である。
【図９】第２実施形態のコンテンツ再生装置の機能ブロック図である。
【図１０】第２実施形態のコンテンツ再生装置での前処理を示すフローチャートである。
【図１１】第２実施形態の変更処理に関する表示例を示す図である。
【発明を実施するための形態】
【０００６】
（第１実施形態）
以下、図面等を参照して実施形態について説明する。
図１は、第１実施形態のコンテンツ再生装置１としてのタブレット端末に設けられているタッチパネルディスプレイ３０（後述）における、コンテンツ再生中の表示例を示す図である。
図２は、第１実施形態のコンテンツ再生装置１の機能ブロック図である。
本実施形態において、コンテンツ再生装置１（再生装置）は、コンテンツを再生する装置であり、例えば、図１に示すようなタブレット端末である。また、本実施形態において、コンテンツは、動画データを含む。本実施形態において動画データとは、音声と動画像の両方のデータを含む概念を示すが、動画像のデータのみを含む場合でもよい。なお、本実施形態におけるコンテンツとしては、上述した動画データの他にも、複数の静止画データを所定時間ごとに連続的に変えながら表示するスライドショーのデータや、あるいは音楽等の音声のみの音声データ等であってもよい。
【０００７】
コンテンツ再生装置１は、コンテンツの再生動作中に、タッチパネルディスプレイ３０に、再生中のコンテンツを表示する。タッチパネルディスプレイ３０は、幾つかの表示領域を備える。具体的には、再生中のコンテンツの内容そのものを表示する表示部（表示領域）２（第１表示部）と、再生中のコンテンツにおける現在再生中の位置（再生中のコンテンツにおいて、現在どの辺りを再生中かを、そのコンテンツ全体の長さに対して相対的に示す位置）を表示する表示部（表示領域）３（第２表示部）と、再生動作に関する各種の操作ボタン等とが表示される操作部材表示領域（図１において表示部３の下部に設けられた表示領域）と、を備える。
表示部２は、再生中のコンテンツの内容を表示する。具体的には、例えば、再生中の動画像が表示される。一例として図１では、表示部２に、室内で歩く犬の動画像が再生表示されている。
表示部３は、再生中のコンテンツ（表示部２に表示されているコンテンツ、図１の例では室内で歩く犬の動画）の時間的な全長（例えば３分の動画）に対する、現時点での時間的な再生位置（例えば全３分動画において開始か１分２０秒の時点）を、ユーザ（鑑賞者）に分かり易く表示するための表示を行う表示部である。本実施形態における表示部３は、シークバー３ａ（スライダバー）と、再生ノブ３ｂ（スライダ）とによって、コンテンツの現在の再生位置（コンテンツ（動画）再生の進行度合い）を表示する。なお、本実施形態における再生ノブ３ｂ（スライダ）も、ユーザによってタッチ操作される操作部材（タッチパネル操作用の表示態様）の１つである。
図１に示すように、再生に関するタッチパネル操作用の各種ボタンには、例えば、（図１のシークバー３ａの下段において左から順に記載すると）コンテンツ再生の停止ボタン、巻き戻しボタン、一時停止ボタン、早送りボタン等の操作用ボタン、音量コントロールに関する操作部材（図１の最下部に表示されているスライダバーとツマミ）が含まれている。また、タッチパネルディスプレイ３０には、コンテンツの再生状態の表示領域（図１において「再生中００：１２／０３：４５」の表示領域）も含まれる。
【０００８】
図２に示すように、コンテンツ再生装置１は、制御部１０と、記憶部２０と、タッチパネルディスプレイ３０と、スピーカ３２（音声出力部）と、を備える。
制御部１０は、コンテンツ再生装置１の各部を統括制御する制御回路であり、例えばＣＰＵ等から構成される。制御部１０は、記憶部２０、タッチパネルディスプレイ３０、スピーカ３２等と接続される。制御部１０は、記憶部２０に記憶された各種プログラムを適宜読み出して実行することにより、上述したハードウェアと協働し、各種機能を実行する。
【０００９】
制御部１０は、再生部１１と、表示変更部１５（変更部）と、音声変更部１８とを備える。
再生部１１は、コンテンツの再生指示を受け付けたことに応じて、コンテンツを再生する制御部である。
表示変更部１５は、再生部１１により再生されているコンテンツの再生位置と、コンテンツに設定されたハイライト区間（特徴区間）との位置関係に基づいて、表示部２及び表示部３の少なくとも一方の表示態様を変更する制御部である。ハイライト区間及び表示態様の詳細については、後述する。
音声変更部１８は、再生部１１により再生されているコンテンツの再生位置と、コンテンツが有するハイライト区間との位置関係に基づいて、スピーカ３２から出力される音声を変更する制御部である。
【００１０】
記憶部２０は、コンテンツ再生装置１の動作に必要なプログラム、情報等を記憶するためのハードディスク、半導体メモリ素子等の記憶装置である。
なお、コンピュータとは、制御部、記憶装置等を備えた情報処理装置をいい、コンテンツ再生装置１は、制御部１０、記憶部２０等を備えた情報処理装置であり、コンピュータの概念に含まれる。
記憶部２０は、プログラム記憶部２１と、コンテンツ記憶部２２とを備える。
プログラム記憶部２１は、各種プログラムを記憶する記憶領域である。プログラム記憶部２１は、コンテンツ再生プログラム２１ａを記憶している。
コンテンツ再生プログラム２１ａは、制御部１０の各処理を実行するためのプログラムである。
コンテンツ記憶部２２は、コンテンツ再生装置１で再生する様々なコンテンツを記憶する記憶領域である。
【００１１】
タッチパネルディスプレイ３０は、コンテンツを再生位置と共に表示する液晶ディスプレイ（ＬＣＤ）等で構成される表示部としての機能と、ユーザの指等によるタッチ入力を検出する入力部（入力受付部）としての機能とを有する。
スピーカ３２は、音声を出力する装置である。
【００１２】
次に、コンテンツ再生装置１での処理について説明する。
図３は、第１実施形態の表示部３の表示例を示す図である。
図４は、第１実施形態のコンテンツ再生装置１でのコンテンツ再生処理を示すフローチャートである。
この例では、コンテンツとして、カメラによって撮影した動画データを再生するものとして説明する。コンテンツ再生装置１が再生するコンテンツは、ハイライトシーンに相当する部分には、予めハイライトシーンを示す情報が設定されている。本実施形態におけるコンテンツとしての動画データは、通常の動画ファイルとして管理されるものであり、ハイライトシーンを示す情報（ハイライトシーン情報：動画データのどの部分がハイライトシーンであるかを示す情報、一例としてハイライトシーンに相当するハイライト区間を示す情報（ｅ．ｇ．動画の先頭から開始された場合の経過時間を使ってハイライト区間を示す））は、動画ファイル中のいわゆるメタデータ（メタ情報）に記録（管理）される。
ここで、ハイライトシーンとは、コンテンツ内においての特徴のある部分をいう。例えば、ハイライトシーンは、コンテンツを構成するシーン（１以上の画像）のうち、撮影者又はユーザ（コンテンツの視聴者）が興味を持った、あるいは持つであろうシーンである。
【００１３】
ハイライトシーンを示す情報の設定の方法としては、コンテンツ再生装置１が自動的に設定する場合、視聴者がマニュアルで設定する場合、コンテンツ（本実施例では動画データ）を撮影した撮影装置（カメラ）が撮影中又は撮影後に自動的に設定する場合、等がある。
コンテンツ再生装置１が自動的にハイライトシーンを示す情報（以下、ハイライトシーン情報とも称す）を設定する場合の一例として、例えば、特開２０１５−１５９４１１号公報等の技術を用いて行う例がある。特開２０１５−１５９４１１号公報によれは、ハイライトシーンは、コンテンツに含まれる画像の動き（再生中の画像内における変化）に基づいて設定する。これは、一般に視聴者にとって、コンテンツの中で変化があるシーンは面白く、変化がないシーンは退屈とされる。そこで、上述の技術では、コンテンツ（動画データ）を構成するシーンの中から変化があるシーンを抽出して、その抽出したシーンを示す情報をハイライトシーン情報としてメタデータに設定する。ハイライトシーンは、上記以外の画像特徴に基づいて自動的に抽出してもよい。例えば、いわゆる撮影状態がよいシーン（画像ブレが少ないシーン、フォーカスが合っているシーン、露出が適正なシーン、色合いが適正なシーン、コントラストが適正なシーン、及びこれら何れかの組み合わせで評価の高いシーン）に基づいて、抽出するようにしてもよい。
また、ハイライトシーン情報は、上述の手法の他にも、コンテンツにおける音量の大きさに基づいて設定してもよいし、コンテンツを視聴している、あるいは視聴した視聴者によってコンテンツのメタデータに設定された各再生位置でのコメントの量に基づいて設定してもよい。
また、ハイライトシーン情報は、上述のように自動的に設定するものではなく、ユーザが指定したものであってもよい。例えば、視聴者が動画データを視聴中に、お気に入りのシーンが現れたときに、視聴者がハイライトシーン情報の入力操作（コンテンツ再生装置１に対する入力操作）を行うことによって、ハイライトシーン情報をコンテンツのメタデータに設定するようにしてもよい。あるいは、視聴者によって半自動的にハイライトシーン情報を設定するようにしてもよい。例えば視聴者の反応（視聴者の笑い声や歓声等の音声の解析結果に基づいて、あるいは視聴者を撮影しているカメラからの画像の解析結果（視聴が笑顔等の特別な表情、あるいは特別な仕草で視聴しているシーンか否か））に基づいて、コンテンツ再生装置１側でハイライトシーン情報をメタデータに設定するようにしてもよい。
【００１４】
図３（Ａ）に示すハイライト区間は、ハイライトシーン情報が設定された区間である。図３（Ａ）では、コンテンツの再生時間のうち、ハイライトシーンの再生位置（コンテンツにおけるハイライトシーンの存在範囲）を説明するために、ハイライト区間（点線、矢印、及び文字）を記載している。しかし、タッチパネルディスプレイ３０に実際に表示される表示部３には、図３（Ａ）に図示するような形態ではハイライト区間が示されない。なお、ハイライト区間は、以下の説明では、１か所として説明するが、１つの動画データ中に複数箇所あってもよい。また、ハイライト区間は、コンテンツの再生期間（区間）内の、どの位置（区間）に存在していてもよい。
【００１５】
次に、図４を用いて、コンテンツ再生装置１の制御部１０の動作を説明する。
ユーザ（視聴者）が、コンテンツ記憶部２２に記憶されているコンテンツのうち１つを選択し、かつ、コンテンツ再生開始のための操作を行うと、図４のフローはスタートする。
ステップＳ（以下、「Ｓ」という。）１０において、制御部１０は、コンテンツ再生プログラム２１ａを実行し、選択されたコンテンツを再生するための前処理を行う。前処理として、制御部１０は、選択されたコンテンツ（動画データの中の動画像データ及びメタデータ）を読み出し、その読み出した内容に基づいて表示部２及び表示部３に表示する。なお、動画の再生を開始するまで、表示部３には、図３（Ａ）に示すように、再生ノブ３ｂが、左端に配置される。
Ｓ１１において、制御部１０（再生部１１）は、コンテンツ（動画データ）を再生する。具体的には、再生部１１は、再生した動画データの動画像を表示部２に表示させると共に、その動画像の再生の進行に応じて、表示部３の再生ノブ３ｂを、図３（Ａ）の左端に存在していた状態から順次右端に向かって進行するように表示を更新する。これによって、再生ノブ３ｂの表示位置は、再生されている動画データの進行位置に対応した状態を示す。
【００１６】
Ｓ１２において、制御部１０は、タッチパネルディスプレイ３０に表示されている再生ノブ３ｂに対するユーザ（視聴者）のタッチ操作を受け付けたか否かを判断する。ユーザによる再生ノブ３ｂに対するタッチ操作とは、例えば、タッチパネルディスプレイ３０に表示された再生ノブ３ｂの位置にユーザが指５をタッチさせて、タッチさせた状態を維持してタッチパネルディスプレイ３０上で動かす操作をいう。なお、再生ノブ３ｂの位置でなくても、再生ノブ３ｂの近傍の位置にユーザが指５をタッチさせた場合であっても、同様に再生ノブ３ｂに対する操作を行うことができる。再生ノブ３ｂに対する操作を受け付けた場合（Ｓ１２：ＹＥＳ）には、制御部１０は、処理をＳ１３に進める。他方、再生ノブ３ｂに対する操作を受け付けていない場合（Ｓ１２：ＮＯ）には、制御部１０は、処理をＳ１４に進める。
Ｓ１３において、制御部１０は、ユーザの操作に対応して、再生ノブ３ｂの位置を移動させる。例えば、ユーザの指５が、再生ノブ３ｂをタッチしてそのままタッチパネルディスプレイ３０をなぞりながら図中の右方向へスライドさせる操作をすると、制御部１０は、再生ノブ３ｂを図中の右方向へスライド表示させる。その際（その間）、再生部１１は、表示部２に、再生ノブ３ｂの位置（コンテンツの再生位置）に応じたコンテンツ（動画像）を表示する。
【００１７】
Ｓ１４において、制御部１０は、コンテンツ（動画像）の現在の再生位置がハイライト区間に相当するか否かを、その現在の再生位置を示す情報と、上述したメタデータに記録（管理）されているハイライトシーン情報とを比較することによって判断する。ここで、上述の再生位置を示す情報、及びハイライトシーン情報は、ともに両者の相対的な位置関係が分かる情報であればよい。一例として、動画像の最初（動画像の先頭シーンから再生した場合）からの「経過時間」であってもよいし、あるいは動画像の最後までの（動画像の再生終了する終了シーンまでの）「残時間」であってもよい。なお、ハイライト区間であるか否かを判断する際に、ハイライト区間にぴったりと一致するか否かの判断を行うようにしてもよいし、あるいはハイライト区間から少し前後した範囲（ハイライト区間近傍の範囲、例えばハイライト区間から数秒（例えば２秒以内）の範囲）に含まれているか否かの判断を行うようにしてもよい。ハイライト区間である場合（Ｓ１４：ＹＥＳ）には、制御部１０は、処理をＳ１５に進める。他方、ハイライト区間ではない場合（Ｓ１４：ＮＯ）には、制御部１０は、処理をＳ１８に進める。
Ｓ１５において、制御部１０（表示変更部１５、音声変更部１８）は、後述する変更処理を行う。
【００１８】
変更処理の内容について、図３（Ｂ）に基づき説明する。
例えば、図３（Ｂ１）は、ユーザの指５が再生ノブ３ｂをタッチした状態で、右方向にスライド操作している態様を示す。その際、制御部１０は、再生ノブ３ｂの表示を、指５のスライド操作の移動速度に合わせて移動させる。
次に、図３（Ｂ２）は、コンテンツの再生位置がハイライト区間に入った場合の態様を示す。ユーザの指５が再生ノブ３ｂを右方向に図３（Ｂ１）の場合と同じ速度でスライド操作させようとしても、表示変更部１５は、再生ノブ３ｂの右方向への移動速度（指５のスライド操作に追従して、再生ノブ３ｂの表示を移動する際の表示態様）を、指５の移動速度に比べて動的に遅くする。より具体的には、表示変更部１５は、指５のスライド操作の移動速度（単位時間当たりのスライド操作量の変化量）をタッチパネルディスプレイ３０で感知した操作量に基づいて算出し、その算出した移動速度よりも再生ノブ３ｂの表示の移動速度を遅く（例えば半分以下の速度に）制限するように制御する。つまり本実施形態では、指５の移動速度をモニターしながら、ハイライト区間では、その指５の速度を基準にして再生ノブ３ｂの表示の移動速度に制限（上限）をかけながら、指５のスライド操作に追従するように再生ノブ３ｂの表示を移動させる。
通常、ユーザは、指５をスライド操作する際には、ほぼ一定の速度でスライド操作する。このため、ユーザはハイライト区間内か区間外かに関わらず、ほぼ一定の速度で指５をスライド操作する場合が多い。このため、本実施形態における上述の再生ノブ３ｂの表示態様の変更は、換言すれば、表示変更部１５は、ハイライト区間において、ユーザの操作に応じて移動表示される再生ノブ３ｂ（表示）の移動速度を、ハイライト区間外での移動速度に比べて動的に遅くするものである。このようなハイライト区間に入ると再生ノブ３ｂの動き（図３（Ｂ）中における右方向のスライドする動き）が、ユーザ操作に関わらず、急に遅くなるという、動的な表示態様の変更を行うことで、ユーザは、再生ノブ３ｂの移動速度が急に遅くなったことを感じる。このため、ユーザは、現在の再生位置に対応した区間がハイライト区間である、と知ることができる。なお、この再生ノブ３ｂの移動速度の動的な変化は、換言すれば、再生ノブ３ｂの位置とハイライト区間との位置関係の変化に基づくものである、とも言える。
本実施形態では、ハイライト区間における再生ノブ３ｂの表示の移動速度の制御（変更）を、上述のように指５のスライド操作の速度移動に基づいて決定している。これに加えて、ハイライト区間の長さ（時間的な長さ）に応じて、再生ノブ３ｂの表示の移動速度を動的に（段階的に）変更してもよい。例えば、指５のスライド操作の速度が同じ場合であったとして、２つのハイライト区間（区間Ａと区間Ｂ）があり、かつ、区間Ａが区間Ｂよりも短い（時間的に短い：「区間Ａ＜区間Ｂ」）場合において、表示変更部１５は、区間Ａにおける再生ノブ３ｂの移動速度（速度上限）を、区間Ｂにおける再生ノブ３ｂの移動速度（速度上限）よりも遅く制御する。なお逆の場合、すなわち区間Ｂにおける再生ノブ３ｂの移動速度（速度上限）は、区間Ａの移動速度（速度上限）よりも速くする。このようにすることで、ハイライト区間の長さをユーザに視覚的に、また直観的に知らせることができる。
なお、ハイライト区間では、図３（Ｂ２）に示すように、指５の位置と再生ノブ３ｂの位置とが異なることが往々にして生じる。このような状態のときに、表示部２に表示される動画像は、指５の位置に対応する動画像では無く、再生ノブ３ｂの位置に対応する動画像である。なお本実施形態では、このような表示態様の変更処理が、指５の操作位置がハイライト区間外に脱するまで継続される。
【００１９】
図４に戻り、Ｓ１６において、制御部１０は、上記Ｓ１４で述べた手法と同様の手法で、ハイライト区間が終了したか否かを判断する。ハイライト区間が終了した場合（Ｓ１６：ＹＥＳ）には、制御部１０は、処理をＳ１７に進める。他方、ハイライト区間が終了していない場合（Ｓ１６：ＮＯ）には、制御部１０は、ハイライト区間が終了するまで、本処理に留まる。
Ｓ１７において、制御部１０は、ハイライト区間終了処理を行う。
【００２０】
ここで、ハイライト区間終了処理の内容について、図３（Ｂ）に基づき説明する。
図３（Ｂ２）に示すように、再生ノブ３ｂの移動速度が遅くなった後でも、ユーザが指５の右方向へのスライド操作を継続すると、やがてハイライト区間から指５が脱する。図３（Ｂ３）は、指５のスライド操作がハイライト区間から脱した状態を示す。この場合において、表示変更部１５は、この図３（Ｂ３）に示すように、再生ノブ３ｂの移動速度を、ハイライト区間に入る前の元の速度に変更する。このようにすることで、ユーザは、再生ノブ３ｂの移動速度が速くなったことを感じるので、動画像の現在の再生位置に対応する再生ノブ３ｂの位置がハイライト区間外になったことを知ることができる。
なお、本実施形態では、上述の如く、指５の操作位置がハイライト区間に入って変更処理をした後、ハイライト区間から指５の操作位置が抜けるまで、変更された態様での表示を継続し続けることになる。しかし、変更処理の後に、例えば、ユーザが指５をタッチパネルディスプレイ３０から離して、再度、シークバー３ａの任意の位置に指をタッチした場合には、制御部１０は、たとえその二度目の指５の操作位置がハイライト区間内であったとしても、上述のハイライト区間終了処理をしてもよい。
【００２１】
図４に戻り、制御部１０は、Ｓ１７において、再生位置がコンテンツの終了位置になったか否かを判断する。再生位置がコンテンツの終了位置になった場合（Ｓ１８：ＹＥＳ）には、制御部１０は、コンテンツの再生を終了し、本処理（フローチャート）を終了する。他方、再生位置がコンテンツの終了位置になっていない場合（Ｓ１８：ＮＯ）には、制御部１０は、処理をＳ１２に進めて、上述した処理を繰り返す。
このように、コンテンツ再生装置１は、再生ノブ３ｂの速度変化によって、コンテンツのハイライト区間をユーザに視覚的に、また直観的に伝えることができる。
【００２２】
次に、図３及び図４のＳ１５において説明した「変更処理」の他の態様について説明する。
図５から図８までは、第１実施形態の変更処理に関する他の表示例を示す図である。
図５（Ａ）は、ハイライト区間の開始位置に再生ノブ３ｂが近づくと、その再生ノブ３ｂがハイライト区間の開始位置に吸い付くような（再生ノブ３ｂが指５の操作よりも先回りするように、ハイライト区間の開始位置に吸い込まれるような）速度変化をする例である。以下、図５を用いて指５の操作に従って順に説明する。
制御部１０は、ユーザの指５のスライド操作の移動速度に合わせて、再生ノブ３ｂを移動させる（図５（Ａ１））。
再生ノブ３ｂの位置が、ハイライト区間の開始位置に近づくと、表示変更部１５は、再生ノブ３ｂの移動速度（表示態様）を、指５のスライド操作の移動速度よりも速くする（図５（Ａ２））。そして、再生ノブ３ｂの位置が、ハイライト区間の開始位置になると、表示変更部１５は、再生ノブ３ｂの移動速度をさらに変更し、再生ノブ３ｂの動きを止める（図５（Ａ３））。
このように、コンテンツ再生装置１は、再生ノブ３ｂの移動速度を、コンテンツのハイライト区間の手前で動的に変化させる（再生ノブ３ｂの位置とハイライト区間との位置関係に基づいて動的に変化させる）ことで、ユーザに、ハイライト区間を視覚的に、また直観的に伝えることができる。
なお、図５（Ａ）の場合に、図示しないが、表示変更部１５は、指５の操作位置がハイライト区間の終了位置から予め決められた長さ以上遠ざかると、再生ノブ３ｂを、ハイライト区間の終了位置に押し戻されるように動作（再生ノブ３ｂの表示を制御）させてもよい。そのようにすることで、コンテンツ再生装置１は、ハイライト区間の開始位置と終了位置とを、ユーザに視覚的に、また直観的に伝えることができる。
また図５（Ａ）の態様において、ハイライト区間に近づいた再生ノブ３ｂの表示の移動速度（吸い付き速度）の制御を、ハイライト区間の長さ（時間的な長さ）に応じて、動的に（段階的に）変更してもよい。例えば、表示変更部１５は、ハイライト区間が比較的長い場合には、ハイライト区間が比較的短い場合に比して、吸い付き速度を遅く制御する。なお逆の場合、すなわちハイライト区間が短い場合は、長い場合に比して、吸い付き速度を速くする。このようにすることで、ハイライト区間の長さをユーザに視覚的に、また直観的に知らせることができる。
【００２３】
図５（Ｂ）は、再生ノブ３ｂの位置（表示位置、現在位置）がハイライト区間に入った場合に、再生ノブ３ｂの大きさ（面積の表示態様）を動的に大きく変化させる例である。制御部１０は、再生ノブ３ｂの位置がハイライト区間ではないときには、再生ノブ３ｂを、通常の大きさで表示する（図５（Ｂ１））。
次に、再生ノブ３ｂの位置がハイライト区間に入ったときには、表示変更部１５は、再生ノブ３ｂの大きさを大きく変化させる（図５（Ｂ２））。
そして、再生ノブ３ｂは、ハイライト区間に位置する間は、大きいままの形状を保持する。再生ノブ３ｂの位置がハイライト区間から出た場合には、表示変更部１５は、再生ノブ３ｂの大きさを通常の大きさに変化させる（図５（Ｂ３））。
図５（Ｂ）の例の場合にも、コンテンツ再生装置１は、再生ノブ３ｂの大きさ（面積）を、再生ノブ３ｂの位置とハイライト区間との位置関係に基づいて動的に変化させるので、ユーザに、ハイライト区間を視覚的に、また直観的に伝えることができる。
また、図５（Ｂ）の態様において、ハイライト区間における再生ノブ３ｂの表示の大きさを、ハイライト区間の長さ（時間的な長さ）に応じて、動的に（段階的に）変更してもよい。例えば、表示変更部１５は、ハイライト区間が比較的長い場合には、ハイライト区間が比較的短い場合に比して、再生ノブ３ｂの大きさを小さくする。なお逆の場合、すなわちハイライト区間が短い場合は、長い場合に比して、再生ノブ３ｂの大きさを大きくする。このようにすることで、ハイライト区間の長さをユーザに視覚的に、また直観的に知らせることができる。
【００２４】
図６（Ａ）は、再生ノブ３ｂの位置がハイライト区間に入った場合に、再生ノブ３ｂの形状（表示態様）を変化させる例である。制御部１０は、再生ノブ３ｂの位置がハイライト区間ではないときには、再生ノブ３ｂを、○（丸）の形状で表示する（図６（Ａ１））。
次に、再生ノブ３ｂの位置がハイライト区間に入ったときには、表示変更部１５は、再生ノブ３ｂの形状を、☆（星）の形状に変化させる（図６（Ａ２））。
そして、制御部１０は、再生ノブ３ｂがハイライト区間に位置する間は、再生ノブ３ｂの形状を、星の形状のまま保持する。表示変更部１５は、再生ノブ３ｂの位置がハイライト区間から出た場合には、再生ノブ３ｂの形状を、元の丸の形状に変化させる（図６（Ａ３））。
このように、コンテンツ再生装置１は、図６（Ａ）のように、再生ノブ３ｂの位置とハイライト区間との位置関係に基づいて、再生ノブ３ｂの形状を動的に変化させることで、ハイライト区間をユーザに伝えることができる。
なお、図６（Ａ）では形状を動的に変えるように構成したが、形は変えずに、再生ノブ３ｂの表示の色、輝度、濃度（コントラスト）等を動的に（段階的に）変えることで、ハイライト区間をユーザに伝えるようにしてもよい。
【００２５】
図６（Ｂ）、図６（Ｃ）は、再生ノブ３ｂの位置がハイライト区間に入った場合に、シークバー３ａの幅（太さの表示態様）を変化させる例である。表示変更部１５は、再生ノブ３ｂの位置がハイライト区間になると、シークバー３ａの幅（太さ）を変化させる。その場合、ハイライト区間に対応する再生時間が長い場合には、表示変更部１５は、シークバー３ａの幅を細く変化させる（図６（Ｂ））。他方、ハイライト区間に対応する再生時間が短い場合には、表示変更部１５は、シークバー３ａの幅を太く変化させる（図６（Ｃ））。ここでいう再生時間とは、コンテンツ全体の再生時間の長短にかかわらず、そのハイライトシーン自体の区間（再生時間）の長短に対応したものである。
このように、コンテンツ再生装置１は、シークバー３ａの幅を変化させることで、ハイライト区間であることをユーザに伝えることができる。また、コンテンツ再生装置１は、シークバー３ａの幅を、ハイライト区間自体の時間的な長さに基づいて変更することで、そのハイライト区間の長さを視覚的に、また直観的にユーザに伝えることができる。
なお、図６（Ｂ）、図６（Ｃ）では、シークバー３ａの幅の表示を、ハイライト区間の時間的な長さに応じて動的に変更することで、ユーザにハイライト区間の長さを伝えるようにしているが、これに加えて再生ノブ３ｂの表示の大きさ（面積）もハイライト区間の長さに応じて動的に変更することで、ハイライト区間の時間的な長さをユーザに伝えるようにしてもよい。具体的には、ハイライト区間が比較的長い場合（例えば、コンテンツ全体の長さを鑑みると、ハイライト区間が時間的に比較的長い場合）には、図６（Ｂ）のようにシークバー３ａの幅の表示を、ハイライト区間外で表示されているシークバー３ａの幅の表示よりも細く（狭く）すると共に、再生ノブ３ｂの表示の大きさ（面積）も、ハイライト区間外で表示されている再生ノブ３ｂの表示の大きさより小さく（図６（Ｂ）に示されている再生ノブ３ｂの大きさよりもさらに小さく）する。またこれとは逆に、ハイライト区間が時間的に比較的短い場合（例えばコンテンツ全体の長さを鑑みると、ハイライト区間が比較的に短い場合）には、図６（Ｃ）のようにシークバー３ａの幅の表示を、ハイライト区間外を表示しているシークバーの幅の表示よりも太く（広く）表示すると共に、再生ノブ３ｂの表示の大きさ（面積）も、ハイライト区間外で表示される再生ノブ３ｂの表示の大きさよりも大きく（図６（Ｃ）に示されている再生ノブ３ｂの大きさよりもさらに大きく）する。このように、シークバー３ａの幅と再生ノブ３ｂの大きさとを併せて動的に変更させることにより、ハイライト区間の時間的な長さをユーザに視覚的に、また直観的に伝えることができる。
なお、ハイライト区間の時間的な長さを表現する方法として、図６（Ｂ）、図６（Ｃ）ではシークバー３ａの表示の幅（太さ）を変更しているが、シークバー３ａの表示の幅は変更せずに、再生ノブ３ｂの表示の大きさ（面積）を変更するだけでハイライト区間の時間的な長さの長短を表現するようにしてもよい。なおハイライト区間の長短を表現する際の再生ノブ３ｂの表示の大きさを変更制御方法について、上述の通りである（ハイライト区間が短ければ再生ノブ３ｂの表示を大きく、ハイライト区間が長ければ再生ノブ３ｂの表示を小さくする）ので、説明を省略する。
【００２６】
図７は、再生ノブ３ｂの位置がハイライト区間に入った場合に、表示部２に再生されるプレビュー画像の更新間隔（再生表示フレームレートの表示態様）を短く（再生表示フレームレートを大きく）変化させる例である。再生ノブ３ｂの位置がハイライト区間ではないときには、制御部１０（再生部１１）は、表示部２に表示するプレビュー画像を、例えば、１５フレームごとに更新する（図７（Ａ１））。つまり、ハイライト区間でないときは、再生表示フレームレートを小さく（更新間隔を長く）する。
次に、再生ノブ３ｂの位置がハイライト区間に入ったときには、表示変更部１５は、表示部２に表示するプレビュー画像を、５フレームごとに更新するように変更する（図７（Ａ２））。つまりハイライト区間のときは、再生表示フレームレートを大きく（更新間隔を短く）する。
そして、再生ノブ３ｂの位置がハイライト区間から出た場合には、表示変更部１５は、表示部２に表示するプレビュー画像を、元と同じく１５フレームごとに更新するように変更する（図７（Ａ３））。
このように、コンテンツ再生装置１は、再生ノブ３ｂの位置とハイライト区間との位置関係に基づいて、表示部２に表示されるプレビュー画像の更新間隔を動的に変化させることで、変更前後でプレビュー画像の変化度合いが異なるようにできる。そのため、コンテンツ再生装置１は、表示部２での表示に関する変化によって、ハイライト区間であることをユーザに伝えることができる。
また図７の態様において、ハイライト区間における再生表示フレームレートを、ハイライト区間の長さ（時間的な長さ）に応じて、動的に（段階的に）変更してもよい。例えば、表示変更部１５は、ハイライト区間が比較的長い場合には、ハイライト区間が比較的短い場合に比して、再生表示フレームレートを小さく（更新間隔を遅く）する。なお逆の場合、すなわちハイライト区間が短い場合は、長い場合に比して、再生表示フレームレートを大きく（更新間隔を速く）する。このようにすることで、ハイライト区間の長さをユーザに視覚的に、また直観的に知らせることができる。
【００２７】
図８は、再生ノブ３ｂの位置がハイライト区間にある場合とない場合とで、再生ノブ３ｂの表示の形状を動的に変化させると共に、スピーカ３２から出力する音も（出力する／出力しない、も含めて）動的に変化させる例である。
図８（Ａ）は、再生ノブ３ｂの位置がハイライト区間にある場合に、スピーカ３２から音を出力させる例である。再生ノブ３ｂの位置がハイライト区間ではないときには、制御部１０は、音を出力させず、再生ノブ３ｂを、通常の大きさで表示する（図８（Ａ１））。
次に、再生ノブ３ｂの位置がハイライト区間に入ったときには、表示変更部１５は、再生ノブ３ｂの大きさを大きく変化させる。また、音声変更部１８は、スピーカ３２から音を出力させる（図８（Ａ２））。
そして、再生ノブ３ｂの位置がハイライト区間から出た場合には、表示変更部１５は、再生ノブ３ｂの大きさを元の大きさに変化させる。そして、音声変更部１８は、出力していた音を出力させないようにする（図８（Ａ３））。
また、図８（Ａ）の態様において、ハイライト区間における音声の大きさを、ハイライト区間の長さ（時間的な長さ）に応じて、動的に（段階的に）変更してもよい。例えば、音声変更部１８は、ハイライト区間が比較的長い場合には、ハイライト区間が比較的短い場合に比して、音声を小さくする。なお逆の場合、すなわちハイライト区間が短い場合は、長い場合に比して、音声の大きさを大きくする。このようにすることで、ハイライト区間の長さをユーザに聴覚的にも、また直観的に知らせることができる。
【００２８】
図８（Ｂ）は、再生ノブ３ｂの位置がハイライト区間にない場合に、スピーカ３２から音を出力させる例である。再生ノブ３ｂの位置がハイライト区間ではないときには、制御部１０は、スピーカ３２から音を出力し、再生ノブ３ｂを、通常の大きさで表示する（図８（Ｂ１））。
次に、再生ノブ３ｂの位置がハイライト区間に入ったときには、表示変更部１５は、再生ノブ３ｂの大きさを大きく変化させる。また、音声変更部１８は、スピーカ３２から出力されていた音を出力させなくする（図８（Ｂ２））。
そして、再生ノブ３ｂの位置がハイライト区間から出た場合には、表示変更部１５は、再生ノブ３ｂの大きさを元の大きさに変化させる。そして、音声変更部１８は、再度音を出力させる（図８（Ｂ３））。
【００２９】
このように、再生ノブ３ｂの位置とハイライト区間との位置関係に基づいて、コンテンツ再生装置１は、再生ノブ３ｂの表示大きさの動的な変化と共に、音の出力の有無の動的な切替によって、ハイライト区間であることをユーザに伝えることができる。
なお、この例では、音の出力有無によって、ハイライト区間であるか否かを伝えるものとして説明したが、出力する音の音量の大小によって、ハイライト区間であるか否かを伝えるものであってもよい。
【００３０】
以上、第１実施形態によると、以下のような効果を有する。
（１）コンテンツ再生装置１は、コンテンツのハイライト区間と、再生ノブ３ｂの位置とに基づいて表示態様を変更することで、ハイライト区間をユーザに伝えることができる。よって、視覚によって、ハイライト区間をユーザに伝えることができる。
そして、表示態様の変更を、例えば、ハイライト区間の開始位置で行うことで、ユーザにハイライト区間の開始位置を伝えることができる。また、表示態様の変更を、例えば、ハイライト区間内では変更した状態を継続させることで、ユーザにハイライト区間内であることを伝えることができる。さらに、表示態様の変更を、ハイライト区間の開始位置の近傍で行うことで、ユーザにハイライト区間の開始位置が近いことを伝えることができる。
【００３１】
（２）コンテンツ再生装置１は、ユーザが操作した操作位置に対応して再生ノブ３ｂの位置を変化させている間に、ハイライト区間との位置関係に基づいて表示態様を変更させる。よって、ユーザによる操作中にハイライト区間を伝えることができるため、ユーザに対してハイライト区間をより認識させやすくすることができる。
（３）コンテンツ再生装置１は、表示態様の変更と共に、音声を変更することで、ハイライト区間をユーザに伝えることができる。よって、視覚に加えて、聴覚によって、ハイライト区間をユーザに伝えることができる。
【００３２】
（第２実施形態）
第２実施形態では、上述した表示態様を、コンテンツの内容に基づいて変える。なお、以降の説明において、上述した第１実施形態と同様の機能を果たす部分には、同一の符号又は末尾に同一の符号を付して、重複する説明を適宜省略する。
図９は、第２実施形態のコンテンツ再生装置２０１の機能ブロック図である。
コンテンツ再生装置２０１は、制御部２１０と、記憶部２２０と、タッチパネルディスプレイ３０と、スピーカ３２とを備える。
制御部２１０は、再生部１１と、コンテンツ解析部２１２と、表示態様選択部２１３と、表示変更部１５と、音声出力判断部２１７と、音声変更部１８とを備える。
【００３３】
コンテンツ解析部２１２は、再生するコンテンツの内容を解析する制御部である。コンテンツ解析部２１２は、コンテンツの内容を、第１実施形態で既述した動画データに含まれるメタデータ内容の解析によって、例えば、コンテンツの総再生時間、ハイライト区間の再生時間、コンテンツに含まれるハイライト区間の数等を得る。
表示態様選択部２１３は、コンテンツの解析結果に応じて、表示態様を選択する制御部である。
音声出力判断部２１７は、コンテンツの解析結果に応じて、音声変更をするか否かを判断する制御部である。
記憶部２２０は、プログラム記憶部２２１と、コンテンツ記憶部２２とを備える。
プログラム記憶部２２１は、コンテンツ再生プログラム２２１ａを記憶している。コンテンツ再生プログラム２２１ａは、上述した制御部２１０の各処理を実行するためのプログラムである。
【００３４】
次に、コンテンツ再生装置２０１での処理について説明する。
図１０は、第２実施形態のコンテンツ再生装置２０１での前処理を示すフローチャートである。
コンテンツ再生装置２０１でのコンテンツ再生処理は、第１実施形態（図４）と同様である。以下、図１０に基づいて説明する。
ユーザが、コンテンツ記憶部２２に記憶されているコンテンツのうち１つを選択する（図示せず）。すると、コンテンツ再生装置２０１の制御部２１０は、コンテンツ再生プログラム２２１ａを実行し、選択されたコンテンツを再生するための前処理を行う。（図４のＳ１０参照）。
【００３５】
ここで、前処理について、図１０に基づき説明する。
図１０のＳ２２０において、制御部２１０は、コンテンツ記憶部２２から選択されたコンテンツ（上述のメタデータを含む）を読み出す。
Ｓ２２１において、制御部２１０（コンテンツ解析部２１２）は、読み出したコンテンツを解析する。例えば、制御部２１０は、コンテンツの総再生時間が基準時間の範囲内か、それとも基準時間より長いか短いかを判断する。また、制御部２１０は、ハイライト区間が、所定時間の範囲内か、それとも所定時間より長いか短いかを判断する。さらに、制御部２１０は、ハイライト区間の数を算出する。
Ｓ２２２において、制御部２１０（表示態様選択部２１３）は、コンテンツの解析結果によって、表示態様を選択する。例えば、ハイライト区間の長短によって、制御部２１０は、表示態様を、再生ノブ３ｂの移動速度をハイライト区間では遅く変化させるもの（図３（Ｂ）で既述の例）に決定する。また、ハイライト区間の長短によって、制御部２１０は、表示態様を、再生ノブ３ｂの大きさをハイライト区間では大きく変化させるもの（図５（Ｂ）で既述の例）に決定する。
【００３６】
Ｓ２２３において、制御部２１０（音声出力判断部２１７）は、コンテンツの解析結果によって、音声を変更するか否かを判断する。例えば、ハイライト区間が複数ある場合には、制御部２１０は、音声を変更するように決定する。
Ｓ２２４において、制御部２１０は、表示処理を行う。表示処理として、制御部２１０は、タッチパネルディスプレイ３０に、表示部２及び表示部３を表示する。その際、例えば、コンテンツを解析した結果、コンテンツの総再生時間が長い場合には、制御部２１０は、コンテンツ全域の長さを示すシークバー３ａの表示の幅を全域に亘って細くしてもよいし、短い場合には、そのシークバー３ａの表示の幅を全域に亘って太くしてもよい。その後、制御部２１０は、本処理を終了し、処理をＳ１１（図４参照）に進める。
【００３７】
次に、前処理によって決定された表示態様での再生例について説明する。
図１１は、第２実施形態の変更処理に関する表示例を示す図である。
ここで再生するコンテンツは、解析の結果、３つのハイライト区間を含むものである。また、１番目と３番目のハイライト区間は、その再生時間（時間的な区間長）が長く、２番目のハイライト区間は、その再生時間（時間的な区間長）が短いものである。
【００３８】
制御部２１０は、再生ノブ３ｂの位置がハイライト区間１より手前では、再生ノブ３ｂを、通常の大きさで表示する（図１１（Ａ１））。
再生ノブ３ｂの位置がハイライト区間１に入ったときには、表示変更部１５は、再生ノブ３ｂの表示の大きさを大きく変化させる（図１１（Ａ２））。
再生ノブ３ｂの位置がハイライト区間１から出た場合には、表示変更部１５は、再生ノブ３ｂの表示の大きさを、元の大きさ（図１１（Ａ１）の大きさ）に変化させる（図１１（Ａ３））。
再生ノブ３ｂの位置がハイライト区間２に入ったときには、表示変更部１５は、再生ノブ３ｂの表示の移動速度を遅く変化させる。そして、音声変更部１８は、スピーカ３２から音声を出力させる（図１１（Ａ４））。
再生ノブ３ｂの位置がハイライト区間２から出た場合には、表示変更部１５は、再生ノブ３ｂの表示の大きさを元の大きさに変化させる。そして、音声変更部１８は、スピーカ３２から出力させていた音声を停止させる（図１１（Ａ５））。
再生ノブ３ｂの位置がハイライト区間３に入ったときには、表示変更部１５は、再生ノブ３ｂの表示の大きさを大きく変化させる（図１１（Ａ６））。
【００３９】
以上、第２実施形態によると、コンテンツ再生装置２０１は、以下のような効果を有する。
コンテンツ再生装置２０１は、ハイライト区間の長短によって、表示態様を変更するので、ユーザにハイライト区間であることを伝えることができると共に、ハイライト区間の長短についても伝えることができる。
また、コンテンツ再生装置２０１は、コンテンツの総再生時間の長短、ハイライト区間の数によって、表示態様を変更するので、ユーザにハイライト区間だけでなく、コンテンツの長さやコンテンツに含まれるハイライト区間の数等についても伝えることができる。
コンテンツ再生装置２０１は、音声の出力有無によっても、ユーザにハイライト区間であることを伝えることができると共に、ハイライト区間の長短についても伝えることができる。
【００４０】
（変形形態）
以上、説明した実施形態に限定されることなく、以下に示すような種々の変形や変更が可能である。
（１）各実施形態では、コンテンツ再生装置を、タブレット端末を例に説明したが、これに限定されない。コンテンツ再生装置は、コンテンツ再生のための専用装置であっても、そうでなくてもよい。また、コンテンツ再生装置は、その他、パーソナルコンピュータ（ＰＣ）や、スマートフォンに代表される携帯情報端末、背面に液晶表示部のあるデジタルカメラ等であってもよい。
（２）各実施形態では、様々な表示態様の例を説明したが、これに限定されない。複数の表示態様の変更を組み合わせたものであってもよい。例えば、ハイライト区間である場合に、表示部に表示されるプレビュー画像の更新間隔をより短く変化させ、かつ、ハイライト区間外であるときに出力していた音を出力させなくすることで、一般的に、滑らかに動画が動いているようにユーザに感じさせる効果を発揮できる。
【００４１】
（３）各実施形態では、コンテンツの再生位置を表示するものとして、シークバーと、再生ノブとを例に説明したが、これに限定されない。コンテンツの再生時間のうち、現在の再生位置が分かるものであれば、他の形態であってもよい。例えば、再生ノブの代わりに、再生位置のシークバーの色が変化するものであってもよい。
（４）各実施形態では、ユーザが指で再生ノブを操作中のハイライト区間での表示態様の変更について説明したが、これに限定されない。例えば、再生ボタンが選択されることによって自動的にコンテンツを再生中であっても、それに応じて動く再生ノブと、ハイライト区間との位置関係に基づいて表示態様を変更するようにしてもよい。
（５）第１実施形態では、様々な表示態様の例を説明した。どの表示態様を用いるかは、コンテンツ再生装置が選択してもよいし、ユーザに選択させてもよい。
（６）上記実施形態では、再生ノブ３ｂがハイライト区間に入ると（又は、その区間の傍に近づくと）、表示態様を変更するものとして説明したが、ハイライト区間におけるハイライトシーンの評価の高低に基づいて、表示変更部１５が、その表示態様の変化の程度（レベル）を動的に変更するようにしてもよい。例えば、図３（Ｂ）に示した再生ノブ３ｂの表示の追従移動速度の速さを変更する態様の場合であれば、ハイライト区間におけるそのハイライトシーンに対する評価値が高いほど、表示変更部１５が、再生ノブ３ｂの表示の、指５のスライド操作に対する追従移動速度を、より遅くする（評価の高さに応じて再生ノブ３ｂの表示の追従移動速度を動的に変更する）。また図５（Ｂ）に示した再生ノブ３ｂの表示の大きさを変更する態様の場合であれば、ハイライト区間におけるそのハイライトシーンに対する評価値が高いほど、表示変更部１５が、再生ノブ３ｂの表示の大きさをより大きくする（評価の高さに応じて再生ノブ３ｂの面積を動的に大きくする）。また図７に示した再生表示のフレームレートを変更する態様の場合であれば、ハイライトシーンの評価値が高いほど、表示変更部１５が、再生表示フレームレートをより低く（よりスロー再生に）する（評価の高さに応じて表示フレームレートを動的に変更する）。また図８（Ａ）に示した音声を出力する態様の場合であれば、ハイライトシーンの評価値が高いほど、音声変更部１８が、より大きな音を再生する（評価の高さに応じて音声を動的に変更する）。
なお、ハイライトシーンの評価の高低は、ユーザ（視聴者）がマニュアルでシーン毎（ハイライト区間毎）に動画ファイル（メタデータ）に入力してもよい。あるいは上述したような、コンテンツに含まれる画像の動き（再生中の画像内における変化）がより多いシーンに対して、より高い評価を付与するようにしてもよい。あるいは他の画像特徴（上述した撮影状態の評価（画像ブレ量、フォーカスの合致度合、露出の適正度合、色合いの適正度合、コントラストの適正度合、等））や、コンテンツ内の音量の大きさや、コンテンツを視聴する視聴者による反応の大きさ（コメント量、笑い声、歓声、表情、仕草）、等に基づいて、評価の高低を付与してもよい。
【００４２】
なお、実施形態及び変形形態は、適宜組み合わせて用いることもできるが、詳細な説明は省略する。また、以上に説明した実施形態によって限定されるものではない。
【符号の説明】
【００４３】
１，２０１：コンテンツ再生装置、２，３：表示部、３ａ：シークバー、３ｂ：再生ノブ、１０，２１０：制御部１０，１１：再生部、１５：表示変更部、１８：音声変更部、２１ａ，２２１ａ：コンテンツ再生プログラム、３０：タッチパネルディスプレイ、３２：スピーカ、２１３：表示態様選択部、２１７：音声出力判断部
【図１】
2017103529.tif 000003
【図２】
2017103529.tif 000004
【図３】
2017103529.tif 000005
【図４】
2017103529.tif 000006
【図５】
2017103529.tif 000007
【図６】
2017103529.tif 000008
【図７】
2017103529.tif 000009
【図８】
2017103529.tif 000010
【図９】
2017103529.tif 000011
【図１０】
2017103529.tif 000012
【図１１】
2017103529.tif 000013